(57)【要約】【課題】光ケーブルの余長処理及び余長部の収納作業を容易にする。【解決手段】光ファイバケーブルの許容最小曲げ半径以上の曲率半径を有する巻取部１１と、該巻取部１１を挟んで設けられた一対のフランジ１２，１３とを備えるリール１と、前記フランジ１２，１３に符合する形状の開口を有し、該開口から光ケーブルの余長部Ｙが巻回された前記リール１を収納する有底筒状容器であって、前記開口に連通する切り欠２３が形成されたリールケース２と、該リールケース２内に前記リール１を固定する固定部材３とを備える。【選択図】図１
2008033013.tif 000002
【特許請求の範囲】
【請求項１】
光ファイバケーブルの許容最小曲げ半径以上の曲率半径を有する巻取部と、該巻取部を挟んで設けられた一対のフランジとを備えるリールと、
前記フランジに符合する形状の開口を有し、該開口から光ファイバケーブルが巻回された前記リールを収納する有底筒状容器であって、前記開口に連通する切り欠が形成されたリールケースと、
該リールケース内に前記リールを固定する固定部材と
を備えることを特徴とする光ケーブル余長処理具。
【請求項２】
前記リールは、軸心に両方のフランジを貫通するように形成された貫通孔と、前記リールケースに収納された状態で該リールケースの底に対向する前記フランジの中央に前記貫通孔に連通し且つ前記貫通孔より大径に形成された窪部とを更に備え、
前記リールケースは、前記窪部に符合する外形を有すると共に軸心にネジ孔が形成された突部を更に備え、
前記固定部材は、前記リールケースに前記リールが収納された状態で前記開口側の前記フランジから前記貫通孔に挿入され先端が前記ネジ孔に螺合する雄ネジである
ことを特徴とする請求項１に記載の光ケーブル余長処理具。
【請求項３】
前記突部は、前記ネジ孔を底部近傍に有し、内部に前記ネジ孔に連通する空洞を備えると共に頂部に前記空洞に連通し前記ネジ孔に対向する孔を備え、
前記窪部内に収納され前記突部の頂部を前記窪部から押し出す方向へ付勢するバネを備える
ことを特徴とする請求項２に記載の光ケーブル余長処理具。
【発明の詳細な説明】
【技術分野】
【０００１】
本発明は、光ケーブル余長処理具に関する。
【背景技術】
【０００２】
光ケーブルの余長部を収納するものには、例えば、特許文献１に開示された余長処理装置がある。この余長処理装置は、内円筒と、この内円筒と同心であって内円筒の外周面を覆う外円筒とを、筐体内に固定的に設けたものであって、内円筒の外周面と外円筒の内周面との間の空間に光ファイバケーブルを収納するものである。
【特許文献１】特開平６−１０９９３０号公報
【発明の開示】
【発明が解決しようとする課題】
【０００３】
ところで、上記特許文献１の余長処理装置は、筐体内における光ファイバケーブルの引き回しが複雑であり、よって余長処理における作業性が悪いという問題がある。また、周知のように光ファイバケーブルは過度に湾曲させると伝送性能が劣化するものであるにもかかわらず、上記従来の余長処理装置では、筐体内における光ファイバケーブルの引き回しが複雑であるため、光ファイバケーブルを過度に湾曲させて伝送性能を劣化させてしまう虞がある。
【０００４】
本発明は、上述した事情に鑑みてなされたもので、光ケーブルの余長処理及び余長部の収納作業を容易にすることを目的とする。
【課題を解決するための手段】
【０００５】
上記課題を解決するために、本発明では、第１の手段として、光ファイバケーブルの許容最小曲げ半径以上の曲率半径を有する巻取部と、該巻取部を挟んで設けられた一対のフランジとを備えるリールと、前記フランジに符合する形状の開口を有し、該開口から光ファイバケーブルが巻回された前記リールを収納する有底筒状容器であって、前記開口に連通する切り欠が形成されたリールケースと、該リールケース内に前記リールを固定する固定部材とを備えるものを採用した。
【０００６】
また、第２の手段として、上記第１の手段において、前記リールは、軸心に両方のフランジを貫通するように形成された貫通孔と、前記リールケースに収納された状態で該リールケースの底に対向する前記フランジの中央に前記貫通孔に連通し且つ前記貫通孔より大径に形成された窪部とを更に備え、前記リールケースは、前記窪部に符合する外形を有すると共に軸心にネジ孔が形成された突部を更に備え、前記固定部材は、前記リールケースに前記リールが収納された状態で前記開口側の前記フランジから前記貫通孔に挿入され先端が前記ネジ孔に螺合する雄ネジであるものを採用した。
【０００７】
第３の手段として、上記第２の手段において、前記突部は、前記ネジ孔を底部近傍に有し、内部に前記ネジ孔に連通する空洞を備えると共に頂部に前記空洞に連通し前記ネジ孔に対向する孔を備え、前記窪部内に収納され前記突部の頂部を前記窪部から押し出す方向へ付勢するバネを備えるものを採用した。
【発明の効果】
【０００８】
本発明によれば、リールの巻取部に光ファイバケーブルの余長部を巻回し、リールをリールケースに収納して固定部材で固定することにより、光ファイバケーブルが、リールケースとリールのフランジによって覆われるので、容易に光ケーブルの余長を処理すると共に余長部を保護することができる。
【発明を実施するための最良の形態】
【０００９】
以下、本発明の光ケーブル余長処理具の一実施形態について、図面を参照して説明する。図１は、本実施形態における余長処理具の外観を示す斜視図であり、図２は、余長処理具の構造を示す縦断正面図であり、図３は、余長処理具に光ケーブルＳの余長部Ｙを収納した状態を示す平面図である。本余長処理具は、リール１、リールケース２、ネジ３及びバネ４を備えている。
光ケーブルＳは、光ファイバケーブルＨに保護被覆を施した状態のものであって、光ケーブルＳの許容最小曲げ半径は数１０ｃｍであり、光ファイバケーブルＨの許容最小曲げ半径は数ｃｍである。光ケーブルＳの余長部Ｙは、保護被覆を取り除かれて光ファイバケーブルＨとされて、余長処理具に収納される。
【００１０】
リール１は、大径で高さが低い円柱の外周面に断面Ｃ字型の溝を形成してくびれさせたプーリのような形状のものであって、光ファイバケーブルＨを巻回する巻取部１１と、該巻取部１１の上下を挟む一対のフランジ１２，１３とを備えている。巻取部１１は、最も大きくくびれて細い部分の曲率半径が、光ファイバケーブルＨの許容最小曲げ半径以上になるように形成されている。
下方のフランジ１３の下面中央には、円筒状の内周面を有する窪部１４が形成されている。また、リール１の軸心には、フランジ１２から窪部１４まで貫通するネジ孔１５（貫通孔）が形成されている。
【００１１】
リールケース２は、一面開口の有底円筒状容器であって、リール１を収納した状態で巻取部１１の外周面と対向する周面部２１と、底面部２２とを備えている。開口は、フランジ１２よりもやや大径に形成されている。フランジ１２と開口との隙間は、光ファイバケーブルＨ１本の外径より小さい。
周面部２１は、２箇所に切り欠２３，２４を備えている。切り欠２３，２４は、周面部２１の底面部２２と逆側の縁に形成されており、光ケーブルＨの引込口及び引出口とされる。ここで、周面部２１は、樹脂製或いはスポンジ製であって、引込口及び引出口としての切り欠２３，２４は、作業者がカッター等の工具により任意の位置を切り取ることにより形成されるものである。
底面部２２の中央には、突部２５が突設されている。突部２５は、外形が窪部１４に符合する円柱状であって内部に空洞２６を有し、この空洞２６に連接させて、底部にネジ孔２７、頂部にネジ孔２８が形成されている。ネジ孔２７及びネジ孔２８とは、ネジ孔１５と同じ雌ネジ径を有している。
【００１２】
ネジ３は、軸形状の先端にネジ溝３１を有する雄ネジであって、ネジ溝３１は、ネジ孔２７に螺合する。
バネ４は、窪部１４内に収納された圧縮弦巻バネであって、突部２５の頂部を窪部１４から押し出す方向へ付勢する。なお、バネ４の付勢によりリール１がリールケース２の外側へ押し出された状態でも、リール１の下方のフランジ１３の下端がリールケース２の上端から露出しないように、フランジ１３は厚く形成されている。
【００１３】
図４〜図６は、上記構成の余長処理具によって光ケーブルＨの余長処理を行う手順を示す縦断正面図である。
まず、ネジ３のネジ溝３１とリールケース２のネジ孔２７との螺合を解除した状態では、バネ４の付勢により、リール１は、リールケース２開口から外側へ押し出されて巻取部１１が露出する位置に位置する（図４参照）。この状態で、作業者は、リール１の巻取部１１に、光ケーブルＳの余長部Ｙを保護被覆を取り除いて光ファイバケーブルＨとして巻き付ける。このとき、作業者が、光ファイバケーブルＨの許容最小曲げ半径を意識しなくても、本余長処理具においては、巻取部１１の曲率半径が光ファイバケーブルＨの許容最小曲げ半径以上とされているので、光ファイバケーブルＨを過剰に湾曲させる虞がない。
【００１４】
次に、作業者は、リール１をバネ４の付勢に抗してリールケース２内に収納する方向へ押し込む。そして、作業者は、ネジ３の先端がネジ孔２７に接する位置までリール１を押し込んだら（図５参照）、ネジ３のネジ溝３１をネジ孔２７に螺合させるようにネジ３を回すことによって、リール１をリールケース２内に更に押し込んで固定する（図６参照）。
【００１５】
なお、本余長処理具の組み立てにあたっては、リール１のネジ孔１５にネジ３のネジ溝３１を螺合させ、更にネジ３を回転させてリール１を貫通させ、続いて、窪部１４内にバネ４を位置させて、リールケース２の突部２５の頂部のネジ孔２８にネジ３のネジ溝３１を螺合させ、更にネジ３を締める方向に回転して、ネジ溝３１を空洞２６内に位置させることにより、図２に示す状態となる。この状態においては、ネジ３を上方に引っ張りながらネジ３を緩める方向に回転させた場合には、ネジ溝３１がネジ孔２８に再び螺合し、更に回転させることによってネジ３がリールケース２から取り外されるが、そのような回転を与えない場合には、ネジ溝３１は空洞２６内に留まる。
【００１６】
このように、本実施形態によれば、光ケーブルＳの余長部Ｙが、リールケース２の周面部２１とリール１のフランジ１２，１３によって覆われるので、容易に光ケーブルＳの余長を処理すると共に、余長部Ｙを保護することができる。
【００１７】
なお、実施にあたっては、リール１の上面にハンドル等を設けてリール１を回転させやすくして、光ファイバケーブルＨを巻取部１１に巻き付ける際に、光ファイバケーブルＨの一端をリール１に仮止めして、リール１を回転させるようにすれば、光ファイバケーブルＨを巻取部１１に容易に巻き付けることができる。
【００１８】
また、本実施形態では、バネ４を利用してリール１をリールケース２から押し出させるように構成しているが、実施にあたっては、バネ４を用いず、図７に示すように、リール１´に対するネジ３´の軸方向の位置を不動に構成し、突部２５´の頂部までネジ孔２７´を形成して、ネジ３´のネジ溝３１´がネジ孔２７´に螺合する範囲でネジ３´を回すことによってネジ３´を突部２５´に対して上下させることにより、リール１´をリールケース２´から出し入れするようにしてもよい。
【００１９】
更に、実施にあたっては、本実施形態では、突部２５が備えるネジ孔２７とこのネジ孔２７に螺合するネジ３が備えるネジ溝３１により固定部材を構成しているが、実施にあたってはこれによらず、例えば、リールケース２´´の開口周囲に、固定部材としての爪３´´を一端を回動自在に取り付け、リールケース２´´にリール１´´を入れ込んだ状態で、爪３´´によってリール１´´の抜け止めを行う等、他の構成の固定部材としてもよい。
【図面の簡単な説明】
【００２０】
【図１】本発明の一実施形態における余長処理具の外観を示す斜視図である。
【図２】本発明の一実施形態における余長処理具の構造を示す縦断正面図である。
【図３】本発明の一実施形態における余長処理具に光ケーブルの余長部を収納した状態を示す平面図である。
【図４】本発明の一実施形態における余長処理具によって光ケーブルの余長処理を行う手順を示す縦断正面図である。
【図５】本発明の一実施形態における余長処理具によって光ケーブルの余長処理を行う手順を示す縦断正面図である。
【図６】本発明の一実施形態における余長処理具によって光ケーブルの余長処理を行う手順を示す縦断正面図である。
【図７】本発明の実施の変形例における余長処理具の構造を示す縦断正面図である。
【図８】本発明の実施の変形例における余長処理具の構造を示す縦断正面図である。
【符号の説明】
【００２１】
１…リール、  ２…リールケース、  ３…ネジ（固定部材）、  ４…バネ、  １１…巻取部、  １２，１３…フランジ、  １４…窪部、  １５…ネジ孔（貫通孔）、  ２１…周面部、  ２２…底面部、  ２３，２４…切り欠、  ２５…突部、  ２６…空洞、  ２７…ネジ孔、  ２８…ネジ孔、  ３１…ネジ溝、  Ｈ…光ファイバケーブル、  Ｙ…余長部、  Ｓ…光ケーブル
【図１】
2008033013.tif 000003
【図２】
2008033013.tif 000004
【図３】
2008033013.tif 000005
【図４】
2008033013.tif 000006
【図５】
2008033013.tif 000007
【図６】
2008033013.tif 000008
【図７】
2008033013.tif 000009
【図８】
2008033013.tif 000010